(57)【要約】【課題】  ＲＦＩＤタグの再使用を不能にし、遊技盤の不正な取り外しを確実に防止する。【解決手段】  セキュリティーキー５０は、軸５１に係合部５２、切断部５３、ストッパ部５４、操作つまみ部５５が設けられ、樹脂で形成される。セキュリティーキー５０の内部にＲＦＩＤタグ５６が埋設される。ＲＦＩＤタグ５６のＩＣチップ５６ａは操作つまみ部５５に埋設され、操作つまみ部５５から切断部５３を経由して軸５１の中央部にかけてＲＦＩＤタグ５６の送受信アンテナ５６ｂが埋設される。遊技盤４にはキーロックケース６１が取り付けられる。本体枠の支持枠取付部３ａにはキーシリンダー６２が取り付けられる。セキュリティーキ５０をキーロックケース６１及びキーシリンダー６２に挿入すると、セキュリティーキー５０の第２係止突起５２ｂがキーロックケース６１の係止爪６５ｂと係合し、第１係止突起５２ａがキーシリンダ−６２の係止爪７１ｂと係合する。【選択図】        図１１
2005137647.tif 000002
【特許請求の範囲】
【請求項１】
交換部と非交換部とを有する遊技機において、
前記交換部が前記非交換部から脱不可状態となるように交換部と非交換部とを継合する楔部材と、
通信アンテナと、この通信アンテナを介して所定装置とのデータ通信が可能な集積回路とを有する情報記憶媒体とを備え、
前記楔部材に、破壊されることによって楔部材を分離させる分離部を形成し、
前記情報記憶媒体の少なくとも一部を前記分離部に一体となるように設け、
前記破壊に伴って交換部と非交換部との継合状態が解除されるとともに、前記データ通信が不能となることを特徴とする遊技機。
【請求項２】
遊技領域を備える遊技盤、及び前記遊技盤を着脱可能に支持する支持部材を備えた交換部と、前記支持部材が着脱可能に取り付けられる本体基部を備えた非交換部とを有し、
前記本体基部に設けられる第１貫通孔と、
前記遊技盤と支持部材との少なくともいずれか一方に設けられる第２貫通孔と、
前記第１貫通孔と第２貫通孔とに挿通する楔部材とを備え、
前記楔部材を第１貫通孔と第２貫通孔とに挿通させた際に、楔部材に形成された第１係止部と係合する第１係合部を第１貫通孔近傍に、楔部材に形成された第２係止部と係合する第２係合部を第２貫通孔近傍に設け、
楔部材を脱不可状態にする固定部を楔部材と、第１貫通孔近傍及び第２貫通孔近傍の少なくともいずれか一方とにそれぞれ設け、
楔部材に、前記第２係止部と第２係止部側の端部との間に楔部材を分離させるための分離部を形成するとともに、前記情報記憶媒体の少なくとも一部を前記分離部に一体となるように設けたことを特徴とする請求項１記載の遊技機。
【請求項３】
前記端部に摘み部を設け、この摘み部を操作することで前記分離部と前記情報記憶媒体とが破壊されることを特徴とする請求項２記載の遊技機。
【発明の詳細な説明】
【技術分野】
【０００１】
本発明は、パチンコ店などの遊技場に設置して使用される遊技機に関するものである。
【背景技術】
【０００２】
パチンコ店などの遊技場に設置して使用される遊技機であるパチンコ機は、遊技媒体であるパチンコ球に一定の価値が与えられて、ゲームを行って獲得したパチンコ球を種々の景品に交換することができる。パチンコ機は、遊技盤や遊技盤を装着させる本体基部に、パチンコ球の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。
【０００３】
最近のパチンコ機の内部に配設されている制御回路装置は、基板上に設けられたＣＰＵ（ｃｅｎｔｒａｌ  ｐｒｏｃｅｓｓｉｎｇ  ｕｎｉｔ）が、制御プログラムに従って電子制御を行うものが一般的である。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
ところで、遊技場でパチンコ機の入替を行うときには、取り付け枠を含む本体基部ごと取り外して交換することが通常である。しかし、パチンコ機を構成する部品には、そのまま流用可能なものも含まれているのが実情で、機種入替時のコストアップの大きな原因となっている。このため、流用可能な部品を遊技場に据え置きにし、新たに変更になる部品のみを交換することが現在検討されている。この場合、本体基部、遊技の際の基本動作を行うパチンコ球発射装置や払い出し装置、演出効果を行うランプやスピーカを遊技場に据え置きにし、遊技盤、図柄可変表示装置、制御回路装置などを交換することが一般的に考えられる。このため、遊技盤は、本体基部に着脱可能となっている。
【０００５】
しかし、遊技盤は本体基部に着脱可能なため、遊技盤を不正に取り外し、各種入賞口や入賞球装置、障害釘などが改変された不正な遊技盤に取り替えられることがあった。また、遊技盤を取り外すと制御回路装置が露呈されるため、遊技盤を不正に取り外し、本体基部内部または遊技盤ユニットに取り付けられた制御回路装置の制御プログラムが不正に改変されてしまうという問題があった。
【０００６】
現在、この問題を解決する方法として、例えば、楔状に形成された連結部材（楔部材）によって本体基部と遊技盤ユニットとを継合するという方法が検討されている。この方法によると、本体基部と遊技盤ユニットとの継合を解除する場合、連結部材を破壊し、連結部材の再使用を不可能にすることができる。
【０００７】
また、連結部材にセキュリティー管理番号が格納されたＲＦＩＤタグ（電波を介して非接触で情報のやり取りができる情報記録媒体）を取り付けることによって防犯性をさらに高めることができる。この場合、専用の読み出し装置から連結部材に取り付けられたＲＦＩＤタグに向けて電波を発信し、非接触でセキュリティー管理番号を読み出す。また、読み出し装置には正規のセキュリティー管理番号が予め記憶されており、読み出し装置では、予め記憶されているセキュリティー管理番号と、読み出したセキュリティー管理番号との照合が行われる。このようにして本体基部と遊技盤ユニットとの継合に正規の連結部材が用いられているか否か、あるいは連結部材が取り外されているか否かを判別することができ、不正な遊技盤に取り替えられているか否かを容易に、且つ短時間に確認することが可能となる。なお、読み出し装置としては、遊技場ではユーザーが手に持って操作できる携帯型の読み出し装置が用いられる。
【発明の開示】
【発明が解決しようとする課題】
【０００８】
しかしながら、連結部材による本体基部と遊技盤ユニットとの継合を解除してもＲＦＩＤタグが使用可能な状態で取り外されてしまえば、仮に連結部材が偽造された場合には、偽造した連結部材に再びそのＲＦＩＤタグが取り付けられ使用されてしまうといった問題が生じる。
【０００９】
すなわち、ＲＦＩＤタグを使用可能な状態で取り外し、本体基部と遊技盤ユニットとを係合している連結部材を破壊し、不正な遊技盤に取り替えた後、本体基部と遊技盤ユニットとを正規のものとは異なる連結部材で連結し、その連結部材、あるいはその近傍に使用可能な状態で取り外されたＲＦＩＤタグを取り付けることによって、前記読み出し装置によって連結部材が不正に取り外されているか否かのチェックを行う場合、正規のセキュリティ管理番号が読み出されてしまい、不正行為が行われたか否かを判別することができなくなってしまうといった問題が生じる。さらに、使用可能な状態で取り外されたＲＦＩＤタグを他のパチンコ機に取り付けたり、あるいは他の用途で不正に使用されてしまういった問題も生じる。
【００１０】
本発明は上記問題を解決するためになされたものであり、ＲＦＩＤタグが搭載された連結部材の偽装工作、及び連結部材に取り付けられたＲＦＩＤタグの再使用を防止することによって、遊技盤の不正な取り外しを確実に防止することができる遊技機を提供することを目的とする。
【課題を解決するための手段】
【００１１】
上記目的を達成するために、本発明の遊技機は、交換部と非交換部とを有するものであり、前記交換部が前記非交換部から脱不可状態となるように交換部と非交換部とを継合する楔部材と、通信アンテナと、この通信アンテナを介して所定装置とのデータ通信が可能な集積回路とを有する情報記憶媒体とを備え、前記楔部材に、破壊されることによって楔部材を分離させる分離部を形成し、前記情報記憶媒体の少なくとも一部を前記分離部に一体となるように設け、前記破壊に伴って交換部と非交換部との継合状態が解除されるとともに、前記データ通信が不能となることを特徴とする。
【００１２】
また、遊技領域を備える遊技盤、及び前記遊技盤を着脱可能に支持する支持部材を備えた交換部と、前記支持部材が着脱可能に取り付けられる本体基部を備えた非交換部とを有し、前記本体基部に設けられる第１貫通孔と、前記遊技盤と支持部材との少なくともいずれか一方に設けられる第２貫通孔と、前記第１貫通孔と第２貫通孔とに挿通する楔部材とを備え、前記楔部材を第１貫通孔と第２貫通孔とに挿通させた際に、楔部材に形成された第１係止部と係合する第１係合部を第１貫通孔近傍に、楔部材に形成された第２係止部と係合する第２係合部を第２貫通孔近傍に設け、楔部材を脱不可状態にする固定部を楔部材と、第１貫通孔近傍及び第２貫通孔近傍の少なくともいずれか一方とにそれぞれ設け、楔部材に、前記第２係止部と第２係止部側の端部との間に楔部材を分離させるための分離部を形成するとともに、前記情報記憶媒体の少なくとも一部を前記分離部に一体となるように設けることが好ましい。
【００１３】
前記端部に摘み部を設け、この摘み部を操作することで前記分離部と前記情報記憶媒体とが破壊されることが好ましい。
【発明の効果】
【００１４】
本発明の遊技機は、遊技機は、交換部と非交換部とを有するものであり、前記交換部が前記非交換部から脱不可状態となるように交換部と非交換部とを継合する楔部材と、通信アンテナと、この通信アンテナを介して所定装置とのデータ通信が可能な集積回路とを有する情報記憶媒体とを備え、前記楔部材に、破壊されることによって楔部材を分離させる分離部を形成し、前記情報記憶媒体の少なくとも一部を前記分離部に一体となるように設け、前記破壊に伴って交換部と非交換部との継合状態が解除されるとともに、前記データ通信が不能となるようにしたので、情報記憶媒体の再使用は不可能になり、情報記憶媒体を搭載した楔部材の偽装工作を防止することができる。
【００１５】
また、遊技領域を備える遊技盤、及び前記遊技盤を着脱可能に支持する支持部材を備えた交換部と、前記支持部材が着脱可能に取り付けられる本体基部を備えた非交換部とを有し、前記本体基部に設けられる第１貫通孔と、前記遊技盤と支持部材との少なくともいずれか一方に設けられる第２貫通孔と、前記第１貫通孔と第２貫通孔とに挿通する楔部材とを備え、前記楔部材を第１貫通孔と第２貫通孔とに挿通させた際に、楔部材に形成された第１係止部と係合する第１係合部を第１貫通孔近傍に、楔部材に形成された第２係止部と係合する第２係合部を第２貫通孔近傍に設け、楔部材を脱不可状態にする固定部を楔部材と、第１貫通孔近傍及び第２貫通孔近傍の少なくともいずれか一方とにそれぞれ設け、楔部材に、前記第２係止部と第２係止部側の端部との間に楔部材を分離させるための分離部を形成するとともに、前記情報記憶媒体の少なくとも一部を前記分離部に一体となるように設けたので、交換部と非交換部とを有するパチンコ機において、情報記憶媒体の再使用を不可能にし、情報記憶媒体を搭載した楔部材の偽装工作を防止することができる。
【００１６】
また、摘み部を設け、この摘み部を操作することで前記分離部と前記情報記憶媒体とが破壊されるので、分離部と情報記憶媒体の破壊を容易に行うことができる。
【発明を実施するための最良の形態】
【００１７】
図１に示すように、遊技機の１実施例であるパチンコ機２は、非交換部である本体基部としての本体枠３の内部に遊技盤４が配設されており、本体枠３の前面にはガラス枠５が開閉自在に取り付けられている。遊技盤４には、図柄可変表示装置７、始動口８、通常入賞口９、通過入賞口１０、アタッカ１１などの所定入賞口及びアウト口１２が設けられている遊技領域４ａが形成されている。また、図示は省略してあるが、遊技盤４にはその他複数の障害釘や風車などが適宜箇所に設けられている。
【００１８】
本体枠３には、パチンコ球発射装置、賞球払い出し装置、電源回路、ランプ、スピーカーなどの異機種でも使用できる共通部品が組み付けられている。
【００１９】
遊技媒体として用いられるパチンコ球を操作ハンドルＨの操作による入力に基づいてパチンコ球発射装置によって一個ずつ遊技盤４の遊技領域に打ち出されると、始動口８、通常入賞口９、通過入賞口１０、アウト口１２のいずれかに入る。始動口８にパチンコ球が入ったときには図柄表示装置７が作動され、表示されている図柄の可変表示が所定時間行われて当たり判定や演出処理が行われる。そして、図柄の可変表示が停止されたときに入賞有効位置上に所定の図柄の組み合わせが得られると当たりとなり、遊技者にとって通常よりも有利となる遊技状態へと所定期間内移行される。
【００２０】
当たりが得られるときに生じる有利な遊技状態とは例えば開閉可能な扉部材を備えたアタッカ１１を１回につき所定時間又はパチンコ球が所定個数入賞するまで閉口状態から開口状態にし、これが所定回数繰り返される。始動口８、通常入賞口９又はアタッカ１１にパチンコ球が入賞すると所定個数の景品球となる賞球払い出しが行われる。始動口８、通常入賞口９又はアタッカ１１にパチンコ球が入賞しなかった場合は、未入賞のパチンコ球としてアウト口１２に入ってハズレ球として回収される。前記景品球は払い出し口１３から受皿１４に所定入賞口毎の入賞に応じて払い出される。
【００２１】
図２に示すように、ガラス枠５は、本体枠３の前面に開閉自在に取り付けられている。ガラス枠５の内側には、視認可能なガラス１５が着脱自在で交換可能に取り付けられている。ガラス１５は軸部Ｊを中心に回転自在となっており、ガラス枠５の中央部に形成された開口５ａに対して開閉するように設けられ、ガラス固定部材１９によって固定される。なお、本実施形態におけるガラス枠５は、図示しない電飾やスピーカーなどの装置を取り付けることが可能となるような構造になっている。
【００２２】
図３に示すように、ガラス枠５は、遊技盤４を支持する支持部材としての支持枠１６に開閉自在に取り付けられている。交換部である遊技盤ユニット６は支持枠１６の遊技盤ユニット取付部１６ａに交換可能に取り付けられており、支持枠１６は本体枠３の支持枠取付部３ａに交換可能に取り付けられている。本体枠３の上下端部には支持枠固定部材１７が設けられている。支持枠１６の遊技盤ユニット取付部１６ａ内の上下端部には、遊技盤ユニット固定部材１８が設けられており、さらに、固定部材取付孔１６ｂが上下に形成されている。なお、支持枠固定部材１７と遊技盤ユニット固定部材１８とには、それぞれ回動可能な係止部１７ａ，１８ａが軸支されている。また、遊技盤４の右側上下端部には固定部材挿通孔４ｂ（図６参照）が形成されている。固定部材挿通孔４ｂは遊技盤ユニット固定部材１８を挿通させることのできる位置に設けられている。さらに、後述する遊技領域規制枠２１の枠本体２５に形成される固定部材取付孔２５ｃ（図５参照）は、遊技盤ユニット固定部材１８の係止部１８ａを係止させることができる位置に設けられている。
【００２３】
支持枠固定部材１７及び遊技盤ユニット固定部材１８は同じ構造の部材であるため、本体枠３に支持枠１６を取り付ける場合の支持枠固定部材１７を例に説明する。図４に示すように、固定部材取付孔１６ｂは支持枠固定部材１７が挿通可能な大きさで、支持枠固定部材１７の係止部１７ａと係止可能となるように形成されている。係止部１７ａは支持枠固定部材１７に回転自在に軸支されており、支持枠１６が取り付けられていない状態では図に示すように係止部１７ａが長手方向が垂直に向けられた取り外し位置にセットされている。支持枠１６が本体枠３の支持枠取付部３ａに取り付けられると、支持枠固定部材１７が固定部材取付孔１６ｂに挿通され、係止部１７ａが回転自在となるように固定部材取付孔１６ｂから突出する。
【００２４】
図５に示すように、係止部１７ａが固定部材取付孔１６ｂから突出した状態でその長手方向が水平となるように９０度回転されると、支持枠固定部材１７は固定位置にセットされる。固定位置への回動によって、係止部１７ａが固定部材取付孔１６ｂから挿脱不能となり、支持枠１６を係止する。これにより、支持枠１６が本体枠３に固定される。
【００２５】
図６に示すように、遊技盤ユニット６は、遊技盤４、支持体２０及び遊技領域規制枠２１から構成されており、遊技盤４を支持体２０と遊技領域規制枠２１とで挟持する構成となっている。遊技領域規制枠２１は、枠本体２５に、外レール２６、第１内レール２７、第２内レール２８から構成されている。このうち、枠本体２５、外レール２６、第１内レール２７及び第２内レール２８は例えばポリアセタール等の摺動性、耐摩耗性に優れた樹脂材から形成されている。なお、第１内レール２７と外リール２６との間は、打ち出されたパチンコ球を遊技領域４ａに向けて誘導するためのガイド部２５ａとなる。また、枠本体２５の中央には、遊技におけるパチンコ球の移動を規制（形成）するための開口２５ｂが形成され、その下方に入賞口に入賞しなかったパチンコ球を所定の受け部に導くためのアウト口３１の前面装飾３１ａが形成される。第１内レール２７及び第２内レール２８の側壁面２７ａ，２８ａは開口２５ｂに面しており、遊技領域４ａを規制するための壁面となる。なお、外レール２６、第１内レール２７及び第２内レール２８は、それぞれ図示しないビス等により枠本体２５に組み付け固定される。
【００２６】
図７に示すように、遊技盤４の略中央には開口４ｃが形成され、この開口４ｃにセンター役物３３が組み付けられる。なお、遊技盤ユニット６を支持枠１６に組み付けると、センター役物３３に形成された開口３３ａを介して、支持体２０に組み付けられた図柄可変表示装置７が視認できるようになっている。
【００２７】
図７に示すように、遊技盤４の後面には遊技を行う際に作動が行われる各種装置を制御するためのメインプログラムや図柄可変表示装置７の可変表示制御を行うための演出プログラムが記憶されたプログラムＲＯＭ３６及び、図柄可変表示装置７で表示する画像データ、音声データ、メインプログラム等に基づいて行われる処理状況に応じて各種装置を作動させるためのデータ等が記憶されているデータＲＯＭ３７、メモリコントローラが組み付けられた回路基板３８が設けられている。この回路基板３８にはコネクタ３９が設けられており、支持体２０に組み付けられた主制御回路装置４０に連接させるためのコネクタ４１が嵌め込まれる。これにより、主制御回路基板４０と回路基板３８とがケーブル４２、４３を介して電気的に接続される。なお、本実施形態では回路基板に組み付ける情報記憶媒体としてＲＯＭを挙げたが、これに限定する必要はなく、ＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００２８】
図６及び図７に示すように、支持体２０には図柄可変表示装置７の他に、主制御回路装置４０や副制御回路装置４４が組み付けられる。この支持体２０の前面には複数のリブ２０ａが設けられ、これらリブ２０ａにより球通路２０ｂが形成される。遊技を行った際に各入賞口及びアウト口に入ったパチンコ球は、リブ２０ａにより形成された球通路２０ｂを通過して所定の受け部に誘導される。この支持体２０の上下４箇所にはボス４５が形成されており、このボス４５には後述する遊技領域規制枠２１に設けられた係止つまみ４７を挿通させるための開口４６が形成されている。このボス４５は、遊技盤４に形成された位置決め開口４ｄに後面側から挿通されることで、遊技盤４と支持体２０との位置決めが行われる。図６に示すように、支持体２０の左側上部には、切欠き２０ｃが形成されており、後述するセキュリティーキー５０（楔部材）挿通時には、セキュリティーキー５０はこの切欠き２０ｃを通過する。なお、支持体２０に、切欠き２０ｃを形成する代わりに、セキュリティーキー５０を挿通可能にする挿通開口を形成してもよい。
【００２９】
枠本体２５の後面の上端部及び下端部のそれぞれ２箇所計４箇所にはボス（図示せず）が形成され、このボスにロック機構である回動自在な係止つまみ４７が取り付けられる。このボスは遊技盤４に形成された位置決め開口４ｄに挿通されることで、枠本体２５と遊技盤４との位置決め係合される。また、係止つまみ４７は支持体２０に形成されたボス４５の開口４６に挿通された後に、開口４６に対して水平位置から垂直位置へと回動させることで、遊技盤４を挟持した状態で遊技領域規制枠２１と支持体２０との係合を行うことが可能となる。なお、ロック機構の構造及び個数は遊技盤ユニットの構成等を考慮して、適宜設定することが可能である。また、枠本体２５の右側の上下端部には固定部材取付孔２５ｃが形成されている。固定部材取付孔２５ｃは遊技盤ユニット固定部材１８の係止部１８ａを挿通させることのできる位置に設けられている。
【００３０】
図８〜図１１に示すように、セキュリティーキー５０は、本体枠３と遊技盤ユニット６とを継合させるために設けられている。このセキュリティーキー５０は、円柱形状の軸５１に係合部５２、切断部５３（分離部）、ストッパ部５４、操作つまみ部５５（端部）が設けられたものであり、樹脂で形成されている。係合部５２には、テーパ状の第１係止突起５２ａと第２係止突起５２ｂと回転防止突起５２ｃとが設けられている。第１係止突起５２ａは、軸５１の操作つまみ部５５と反対側の端部に、第２係止突起５２ｂは、軸５１の略中央部に、それぞれ一対のテーパ状の突起となるように設けられており、回転防止突起５２ｃは、第１，第２係止突起５２ａ，５２ｂに対して９０°回転した位置に一対のテーパ状の突起となるように設けられている。切断部５３は、係合後のセキュリティーキー５０に外部から力が加えられたときに、切断される分離部位であり、軸５１に比べて細径に形成されている。操作つまみ部５５は、後述するキーロックケース６１及びキーシリンダー６２に挿通させたり、上記したセキュリティーキー５０に外部から力を加えるときのつまみであり、つまんで捩じることができるようにプレート状に形成されている。
【００３１】
セキュリティーキー５０には、ＲＦＩＤタグ５６（情報記憶媒体）が埋設されている。ＲＦＩＤタグ５６は、板状のＩＣチップ５６ａ（集積回路）と、このＩＣチップ５６ａの一側端面から突出している棒状の送信及び受信アンテナ、或いは送信又は受信アンテナのいずれかからなる送受信アンテナ５６ｂ（通信アンテナ）とを備えている。ＩＣチップ５６ａは操作つまみ部５５に埋設され、操作つまみ部５５から切断部５３を経由して軸５１の中央部にかけて送受信アンテナ５６ｂが埋設されている。
【００３２】
セキュリティーキー５０は、図９に示すパーティングライン５７を境にして２分割されるセキュリティーキー片５０ａ、５０ｂによって構成されている。セキュリティーキー片５０ａ、５０ｂのそれぞれには、操作つまみ部５５から切断部５３を経由して軸５１の中央部にかけてＲＦＩＤタグ５６を嵌め込むための凹部（不図示）が形成され、この凹部にＲＦＩＤタグ５６が嵌め込まれる。そして、ＲＦＩＤタグ５６の送受信アンテナ５６ｂの先端部は接着剤でセキュリティーキー片５０ａ、５０ｂの少なくともいずれか一方に固着される。このような処理が施された後、セキュリティーキー片５０ａとセキュリティーキー片５０ｂとを接着剤で接合し、セキュリティーキー５０を形成する。このようにしてＲＦＩＤタグ５６はセキュリティーキー５０に埋設される。また、ＲＦＩＤタグ５６をセキュリティーキー５０に埋設する方法はこれに限定される必要はなく、セキュリティーキー５０とＲＦＩＤタグ５６とを一体成形しても良く、この際に、ＲＦＩＤタグ５６をセキュリティーキー５０内にインサート成形して埋設すると好適である。
【００３３】
送受信アンテナ５６ｂは、読み出し装置となる図示しないＲＦＩＤリーダ（所定装置）から受けた電波を電磁誘導によって電力として蓄積し、これをエネルギーとしてＩＣチップ５６ａを動作させる。なお、本実施形態では、ＲＦＩＤリーダとして、ユーザが手に持って操作することができる携帯用のＲＦＩＤリーダを用いる。
【００３４】
ＩＣチップ５６ａには、セキュリティー管理番号が記憶されたメモリ（不図示）と、送受信アンテナ５６ｂを介してＲＦＩＤリーダと通信を行なう通信回路（不図示）とが設けられている。
【００３５】
ＲＦＩＤリーダでは、ＲＦＩＤリーダでＲＦＩＤタグ５６のセキュリティー管理番号を読み取った後、ＲＦＩＤタグ５６から読み取ったセキュリティー管理番号と、ＲＦＩＤリーダ内のメモリに予め記憶されている正規のセキュリティー管理番号との照合が行われる。ＲＦＩＤタグ５６から読み取ったセキュリティー管理番号と、ＲＦＩＤリーダ内のメモリに予め記憶されている正規のセキュリティー管理番号とが一致した場合には、例えば、ＲＦＩＤリーダに備えられている表示部に「照合完了」のメッセージが表示される。逆に、ＲＦＩＤタグ５６から読み取ったセキュリティー管理番号が正規のセキュリティー管理番号と異なっていた場合、あるいはＲＦＩＤタグ５６からセキュリティー管理番号が読み取れなかった場合、ＲＦＩＤリーダに備えられている表示部に異常を報知するメッセージが表示される。このようにＲＦＩＤリーダによってＩＣチップ５６ａに記憶されたセキュリティー管理番号を送受信アンテナ５６ｂを介して読み取り、セキュリティー管理番号のチェックを行うことでセキュリティーキー５０の監視を容易かつ短時間に行うことができる。
【００３６】
なお、ＲＦＩＤリーダに、遊技場に設置されたパチンコ機２を管理するホストコンピュータ（不図示）との間で電波の送受信を行なうアンテナを設け、ＲＦＩＤタグ５６から読み取ったセキュリティー管理番号をホストコンピュータに送信し、ホストコンピュータにおいてＲＦＩＤタグ５６から読み取ったセキュリティー管理番号が正規のものであるか否かの判別を行うようにしても良い。
また、セキュリティー管理番号としては、セキュリティーキー５０の識別等を特定できるとともに、容易に解読できないものであることが好ましく、セキュリティー管理番号を暗号化して用いると良い。
【００３７】
枠本体２５のキー受け部２５ｄ（図６参照）には、セキュリティーキー５０を挿通するための開口２５ｅが形成されており、セキュリティーキー５０を開口２５ｅに挿通後、キー受け部２５ｄは、セキュリティーキー５０のストッパ部５４に接触して、セキュリティーキー５０の挿通方向のストッパとして機能する。
【００３８】
遊技盤４には、キーロックケース６１を取り付けるための取付孔４ｅと、キーロックケース６１をビス締め固定するためのビス締め孔４ｆとが形成されている（図６参照）。ビス締め孔４ｆは、上下に２個形成されている。本体枠３の支持枠取付部３ａには、キーシリンダー６２を取り付けるための取付孔３ｂと、キーシリンダー６２をビス締め固定するためのビス締め孔３ｃとが形成されている（図３参照）。ビス締め孔３ｃは、上下に２個設けられている。
【００３９】
図９及び図１０に示すように、キーロックケース６１は、略円筒状の本体部６５と、遊技盤４への取り付け用の取り付け鍔部６６とからなり、本体部６５にはセキュリティーキー５０挿通用の挿通開口６５ａが形成されている。挿通開口６５ａ（第２貫通孔）は、略十字形状で形成されており、略十字形状の上下はセキュリティーキー５０に設けられた係合部５２の第１，第２係止突起５２ａ，５２ｂ挿通用として、略十字形状の左右は回転防止突起５２ｃ挿通用としての開口である。本体部６５内部には、セキュリティーキー５０挿通時に、セキュリティーキー５０の第２係止突起５２ｂ（第２係止部）と係合する係止爪６５ｂ（第２係合部）が上下に、回転防止突起５２ｃを挿通方向にガイドするとともにその回転を防止する固定部としての回転防止凹部６５ｃが左右にそれぞれ設けられている。図１２に示すように、セキュリティーキー５０の係合部５２がキーロックケース６１の本体部６５内部に挿入されると、第２係止突起５２ｂが係止爪６５ｂと係合し、回転防止突起５２ｃが回転防止凹部６５ｃにより挿通方向にガイドされるとともにその回転が防止され、位置決めされる。
【００４０】
キーロックケース６１は、弾性変形可能な樹脂により成形されており、係止爪６５ｂは、図１０に示すように、セキュリティーキー５０挿通時に、第２係止突起５２ｂと当接することによって先端側の口径が拡大するように弾性変形する形状に形成されている。取り付け鍔部６６は、上下に２個設けられており、ビス締め用のビス締め孔６６ａがそれぞれ設けられている。キーロックケース６１の本体部６５を遊技盤４に形成された取付孔４ｅ（図６参照）に挿入し、ビス締め孔６６ａとビス締め孔４ｆとをビス６８によりビス締め固定することにより、キーロックケース６１が遊技盤４に固定される。
【００４１】
図９及び図１０に示すように、キーシリンダー６２は、略円筒状の本体部７１と、本体枠３の支持枠取付部３ａへの取り付け用の取り付け鍔部７２とからなり、本体部７１にはセキュリティーキー５０挿通用の挿通開口７１ａ（第１貫通孔）が形成されている。挿通開口７１ａは、略十字形状で形成されており、略十字形状の上下はセキュリティーキー５０に設けられた係合部５２の第１係止突起５２ａ（第１係止部）挿通用として、略十字形状の左右はセキュリティーキー５０を９０°回転させた状態（図１６参照）のときの第１係止突起５２ａの挿通用としての開口である。本体部７１内部には、セキュリティーキー５０挿通時に、第１係止突起５２ａと係合する係止爪７１ｂ（第１係合部）が上下にそれぞれ設けられている。図１３に示すように、セキュリティーキー５０の係合部５２が、本体枠３の支持枠取付部３ａに取り付けられたキーシリンダー６２の本体部７１内部に挿入されると、第１係止突起５２ａが係止爪７１ｂと係合する。
【００４２】
キーシリンダー６２は、弾性変形可能な樹脂により成形されており、係止爪７１ｂは、図１０に示すように、セキュリティーキー５０挿通時に、第１係止突起５２ａと当接することによって先端側の口径が拡大するように弾性変形する形状に形成されている。取り付け鍔部７２は、上下に２個設けられており、ビス締め用のビス締め孔７２ａがそれぞれ設けられている。キーシリンダー６２を本体枠３の支持枠取付部３ａに形成された取付孔３ｂ（図３参照）に挿入し、ビス締め孔７２ａとビス締め孔３ｃとをビス６８によりビス締め固定することにより、キーシリンダー６２が本体枠３の支持枠取付部３ａに固定される。
【００４３】
上記のように構成されたパチンコ機の作用について説明する。パチンコ機２を組み立てるにあたって、遊技領域規制枠２１の枠本体２５のキー受け部２５ｄに形成された開口２５ｅにＲＦＩＤタグ５６が埋設されたセキュリティーキー５０を挿入する。開口２５ｅに挿入されたセキュリティーキー５０は、遊技盤４に取り付けられたキーロックケース６１に挿入される。図１２に示すように、係合部５２がキーロックケース６１の本体部６５内部に挿入されると、第２係止突起５２ｂが係止爪６５ｂと係合し、回転防止突起５２ｃが回転防止凹部６５ｃにより挿通方向にガイドされるとともにその回転が防止され、位置決めされる。そして、セキュリティーキー５０が挿入された遊技盤ユニット６を支持枠１６に組み付け、支持枠１６を本体枠３に組み付ける。
【００４４】
図１３に示すように、遊技盤ユニット６が組み付けられた支持枠１６が本体枠３に組み付けられ、セキュリティーキー５０の係合部５２が、本体枠３の支持枠取付部３ａに取り付けられたキーシリンダー６２の本体部７１内部に挿入されると、第１係止突起５２ａが係止爪７１ｂと係合する。これにより、セキュリティーキー５０は、故意に破壊（切断）しない限り脱不可状態となるため、遊技盤ユニット６と本体枠３とが継合された状態となる。
【００４５】
パチンコ機２の機種交換を行うにあたって、遊技盤４を含む遊技盤ユニット６を交換する場合には、遊技盤ユニット固定部材１８の係止部１８ａを固定位置から９０°回転させ、開放位置にするとともに、セキュリティーキー５０による遊技盤ユニット６と本体枠３との継合状態を解く必要がある。先ず、セキュリティーキー５０の操作つまみ部５５を掴んで回転させて切断部５５に負荷を与える。図１４に示すように、操作つまみ部５５を回転させて負荷を与え続けると切断部５３がねじれた後に切断され、セキュリティーキー５０は、係合部５２側の第１キー５８と、操作つまみ部５５側の第２キー５９とに分離される。これにより、セキュリティーキー５０が脱離可能な状態となり、遊技盤ユニット６と本体枠３との継合が解かれた状態となり、遊技盤ユニット６を取り外すことができるようになる。また、これと同時に、セキュリティーキー５０に埋設されているＲＦＩＤタグ５６の送受信アンテナ５６ｂが破壊される。
【００４６】
そして、図１５に示すように、セキュリティーキー５０を切断させた後に、遊技盤ユニット６を取り外す。このとき、切断されたセキュリティーキー５０の第１キー５０ａは、キーシリンダー６２の本体部７１内部に残されている。遊技盤ユニット６を取り外すと、遊技盤４に取り付けられたキーロックケース６１も一緒に取り外され、第１キー５０ａは、回転防止凹部６５ｃによる回転防止が解かれ、回転可能となる。そこで、図１６に示すように、第１キー５０ａを９０°回転させて、第１係止突起５２ａと係止爪７１ｂとの係合を解く。この状態のまま、図１７に示すように、第１キー５０ａをキーシリンダー６２から抜き取る。そして、新たな機種に対応した新たな遊技盤ユニット６を取り付けるとともに、新たなＲＦＩＤタグ５６が埋設されたセキュリティーキー５０により、新たな遊技盤ユニット６と本体枠３とを継合させる。
【００４７】
このように、遊技盤ユニット６を正規に交換するためには、新たなＲＦＩＤタグ５６が埋設されたセキュリティーキー５０が必要となる。したがって、遊技盤ユニット６を不正に取り替える等の不正行為（セキュリティーキー５０の切断）が行われた場合、ＲＦＩＤタグ５６が破壊されるので、ＲＦＩＤタグ５６の再使用が不可能となり、さらにＲＦＩＤリーダによるセキュリティ管理番号の読み取りができなくなる。これにより、ＲＦＩＤリーダによって、遊技盤ユニット６を不正に取り替える等の不正行為（セキュリティーキー５０の切断）の有無を把握することができる。また、ＲＦＩＤタグ５６の再使用を不可能にすることで、セキュリティーキー５０に設けられたＲＦＩＤタグ５６だけを抜き取り、その抜き取ったＲＦＩＤタグ５６を他のパチンコ機などに取り付けたり、あるいは他の目的でＲＦＩＤタグ５６を使用するといった不正行為を防止することができる。
【００４８】
上記実施形態では、遊技盤４にキーロックケース６１を、本体枠３の支持枠取付部３ａにキーシリンダー６２を取り付けたが、遊技盤４にキーロックケース６１の形状のものを、支持枠取付部３ａにキーシリンダー６２の形状のものをそれぞれ形成しても良い。
【００４９】
上記実施形態では、ＲＦＩＤタグ５６のうち送受信アンテナ５６ｂを破壊したが、これに限ることなく、ＩＣチップ５６ａを破壊しても良く、ＲＦＩＤタグ５６が再使用不能となり、且つＲＦＩＤリーダによる読み取りができなくなるようにＲＦＩＤタグ５６が破壊されていれば、破壊箇所は適宜に変更可能である。
【００５０】
上記実施形態では、ＲＦＩＤタグ５６に格納されているセキュリティー管理番号を読み出す装置としてＲＦＩＤリーダを用いたが、これに限ることなく、書き込みと読み出しとの両方を行うことができる書き込み及び読み出し装置であるＲＦＩＤリーダ／ライタを用いても良い。この場合、セキュリティー管理番号を書き換えることが可能となるので、例えば、定期的にセキュリティー管理番号を書き換えることにより防犯性をより一層高めることができる。なお、セキュリティー管理番号は、個々のＲＦＩＤタグ５６に対応させた番号を書き換え不可にＩＣチップ５６ａに記憶させ、利用するユーザーによって任意なコードを書き込ませることによって防犯性が高められる。
【００５１】
図１８に別の実施形態を示す。なお、上記実施形態のものと同一の構成部材には同一の符号を付し、その詳細な説明を省略する。操作つまみ部５５の下部には突出片７５が設けられている。この突出片７５はセキュリティーキー５０と同様の樹脂からなり、操作つまみ部５５の下部から下方に向けて延設された切断部７６と、この切断部７６の先端に設けられた固着部７７とから構成されている。
【００５２】
切断部７６は、ニッパなどの切断工具で切断し易いように、操作つまみ部５５、及び固着部７７よりも括れて、且つ厚さも薄く形成されている。固着部７７の軸５１側の側端面には突起７７ａが形成されている。第１の実施形態と同様に、ＲＦＩＤタグ５６のＩＣチップ５６ａを操作つまみ部５５に埋設し、送受信アンテナ５６ｂを操作つまみ部５５から切断部７６を経由して固着部７７にかけて埋設する。図１９に示すように、セキュリティーキー５０をキーロックケース６１及びキーシリンダー６２に挿通させ、遊技盤ユニット６と本体枠３とを継合させた後、固着部７７の突起７７ａを加熱コテ（不図示）で加熱し溶融させ、枠本体２５に溶着させる。これにより固着部７７は枠本体２５に固着され、操作つまみ部５５の回動が禁止される。
【００５３】
セキュリティーキー５０による遊技盤ユニット６と本体枠３との継合状態を解く場合、先ず、切断部７６をニッパで切断する。その後、操作つまみ部５５を回動させ切断部５３を破断することで、第１の実施形態と同様にしてセキュリティーキー５０による遊技盤ユニット６と本体枠３との継合状態を解く。このように、切断部７６をニッパで切断することによってＲＦＩＤタグ５６の送受信アンテナ５６ｂが破壊されるので、ＲＦＩＤタグ５６の再使用が不可能となる。そして、ＲＦＩＤリーダによって遊技盤ユニット６を不正に取り替える等の不正行為（セキュリティーキー５０の切断）が行われたか否か把握することができる。
【００５４】
なお、送受信アンテナ５６ｂを切断部７６に一体となるように設けたが、図２０に示すように、切断部５３に一体となるように送受信アンテナ５６ｂをもう１つ設けても良い。また、切断される部分には送受信アンテナ５６ｂに限ることなく、ＩＣチップ５６ａを切断部５３または切断部７６に埋設しても良く、さらに、切断部５３にＩＣチップ５６ａを埋設し、切断部７６に送受信アンテナ５６ｂを埋設するようにしても良い。その際、ＲＦＩＤタグ５６はセキュリティーキー５０の内部にインサート成形して埋設するようにすると好適である。また、突出片７５にＲＦＩＤタグ５６を埋設するようにし、切断部７６をニッパなどの切断工具によって切断すれば、ＲＦＩＤタグ５６のＩＣチップ５６ａまたは送受信アンテナ５６ｂ自体が破損して、破片として残る突出片７５を用いた解読や解析ができなくなる。
【００５５】
また、固着部７７に突起７７ａを設け、この突起７７ａを加熱コテで溶融し、枠本体２５に固着させたが、固着部７７を枠本体２５に固着または固定させる方法はこれに限ることなく適宜に変更可能である。例えば、操作つまみ部５５の回動が禁止されるように突起７７ａを接着剤で枠本体２５に固着させても良い。
【００５６】
この他にも、例えば、図２１に示すように、固着部７７に、軸５１側に突出した棒状の突起または碇状の係止爪７８を設け、この突起または係止爪７８を枠本体２５に形成した取り付け穴２５ｆに嵌入させても良い。この場合、係止爪７８は軸７８ａと、係止片７８ｂとから構成されており、軸７８ａの先端の両側に、その軸心方向に向かってに撓む弾性を有する変形可能な一対の係止片７８ｂが形成されている。枠本体２５には、係止爪７８の軸７８ａよりもやや径が大きい取り付け穴２５ｆが形成されている。また、遊技盤４には取り付け穴２５ｆを通して係止爪７８が嵌入される凹部４ｇが形成されている。
上述したようにセキュリティーキー５０によって遊技盤ユニット６と本体枠３とを継合させるにあたって、図中矢印に沿って、係止爪７８を先端から取り付け穴２５ｆに嵌入する。このとき、係止片７８ｂが軸７８ａの軸心方向に狭まった変形状態で嵌入される。そして、係止片７８ｂが取り付け穴２５ｆに完全に挿通した後は、図２２に示すように、係止片７８ｂは自身の弾性復元力によって元の状態に戻る。また、取り付け穴２５ｆは固着部７７によって覆われ、枠本体２５は、係止爪７８の係止片７８ｂと固着部７７とによって挟まれた状態になる。係止爪７８は取り付け穴２５ｆから脱不可状態となり、これにより固着部７７が枠本体２５に固着される。このように操作つまみ部５５の回動が禁止されるように固着部７７が枠本体２５に固着されていれば、固着部７７を枠本体２５に固着させる方法はどのようなものであっても良い。
【００５７】
上記実施形態ではパチンコ機を例に挙げて説明したが、本発明は、パチンコ機に限らず、スロットマシン等の全ての遊技機に対して適用することが可能である。
【図面の簡単な説明】
【００５８】
【図１】本発明を実施したパチンコ機の外観を示す斜視図である。
【図２】ガラス枠を開放した状態を示す斜視図である。
【図３】本体枠に遊技盤を取り付ける状態を示す斜視図である。
【図４】支持枠固定部材が取り付け位置にセットされた状態を示す正面図である。
【図５】支持枠固定部材が固定位置にセットされた状態を示す正面図である。
【図６】遊技盤ユニットの構成を分解して示す斜視図である。
【図７】遊技盤と支持体とを分解した状態の構成の概略を示す断面図である。
【図８】ガラス枠と、セキュリティーキー及びこのセキュリティーキーが挿入されるキーロックケース、キーシリンダーとの位置関係を示す断面図である。
【図９】セキュリティーキーと、キーロックケースと、キーシリンダーとを示す斜視図である。
【図１０】セキュリティーキー及びこのセキュリティーキーが挿入される遊技領域規制枠の枠本体、遊技盤及び本体枠の支持枠取付部を示す斜視図である
【図１１】セキュリティーキーを遊技領域規制枠の枠本体からキーロックケースに挿入する場合の、セキュリティーキー及びその近傍の構成を示す断面図である。
【図１２】セキュリティーキーが挿入された遊技盤ユニットを本体枠に組み付ける場合の、セキュリティーキー及び本体枠の支持枠取付部の構成を示す断面図である。
【図１３】セキュリティーキーによって遊技盤ユニットと本体枠とを継合したパチンコ機の、セキュリティーキー及びその近傍を示す断面図である。
【図１４】セキュリティーキーによる遊技盤ユニットと本体枠との継合を解いた場合のセキュリティーキー及びその近傍を示す断面図である。
【図１５】遊技盤ユニットを本体枠から取り外した場合のセキュリティーキーの状態及びその近傍を示す断面図である。
【図１６】セキュリティーキーを９０°回転させ、抜き取ることができる状態にした場合のセキュリティーキー及びキーシリンダーを示す断面図である。
【図１７】キーシリンダーからセキュリティーキーを抜いた場合の状態を示す断面図である。
【図１８】本発明の別の実施形態を示すセキュリティーキーを遊技領域規制枠の枠本体からキーロックケースに挿入する場合のセキュリティーキー及びその近傍の構成を示す断面図である。
【図１９】固着部の突起を枠本体に溶着した場合のセキュリティーキー及びその近傍の構成を示す断面図である。
【図２０】ＲＦＩＤタグの送受信アンテナを２つ設けた場合のセキュリティーキー及びその近傍の構成を示す断面図である。
【図２１】セキュリティーキーの固着部に係止爪を設けた場合のセキュリティーキー及びその近傍の構成を示す断面図である。
【図２２】図２１に示す固着部を枠本体に固着した場合のセキュリティーキー及びその近傍の構成を示す断面図である。
【符号の説明】
【００５９】
２    パチンコ機（遊技機）
３    本体枠（本体基部）
４    遊技盤
２０    支持体（支持部材）
５０    セキュリティーキー（楔部材）
５２ａ    第１係止突起（第１係止部）
５２ｂ    第２係止突起（第２係止部）
５２ｃ    回転防止突起
５３、７６    切断部（分離部）
５５    操作つまみ部
５６    ＲＦＩＤタグ（情報記憶媒体）
５６ａ    ＩＣチップ（集積回路）
５６ｂ    送受信アンテナ（通信アンテナ）
６１    キーロックケース
６２    キーシリンダー
６５ａ    挿通開口（第２貫通孔）
６５ｂ    係止爪（第２係合部）
６５ｃ    回転防止凹部
７１ａ    挿通開口（第１貫通孔）
７１ｂ    係止爪（第１係合部）
【図１】
2005137647.tif 000003
【図２】
2005137647.tif 000004
【図３】
2005137647.tif 000005
【図４】
2005137647.tif 000006
【図５】
2005137647.tif 000007
【図６】
2005137647.tif 000008
【図７】
2005137647.tif 000009
【図８】
2005137647.tif 000010
【図９】
2005137647.tif 000011
【図１０】
2005137647.tif 000012
【図１１】
2005137647.tif 000013
【図１２】
2005137647.tif 000014
【図１３】
2005137647.tif 000015
【図１４】
2005137647.tif 000016
【図１５】
2005137647.tif 000017
【図１６】
2005137647.tif 000018
【図１７】
2005137647.tif 000019
【図１８】
2005137647.tif 000020
【図１９】
2005137647.tif 000021
【図２０】
2005137647.tif 000022
【図２１】
2005137647.tif 000023
【図２２】
2005137647.tif 000024